(57)【特許請求の範囲】
【請求項１】
内部リード線を保持し前記内部リード線と電気的に接続される端子金具と、前記端子金具が圧入される中空構造の絶縁体である端子受け部を備えた入力端子台であって、
前記端子金具が前記端子受け部に圧入される方向をＺ方向、前記内部リード線が前記端子金具に保持される方向であり前記Ｚ方向に垂直な方向をＹ方向、前記Ｙ方向と同一平面内で直交し前記Ｚ方向に垂直な方向をＸ方向とするとき、
前記端子金具は、外部リード線が接続される配線ねじを取り付けるねじ受け部と、前記内部リード線の芯線部分を保持する前記Ｘ方向に伸縮可能な第１の貫通部と、前記内部リード線の被覆部分を保持する前記Ｘ方向に伸縮可能な第２の貫通部を有し、
前記端子受け部は、前記Ｚ方向に細長く設けられ前記内部リード線が挿入される挿入スリットと、中空構造の内部空間が前記Ｚ方向に向かって徐々に狭くなるように設けられ前記第１の貫通部と前記第２の貫通部が前記Ｘ方向に縮むように前記端子金具を変形させる端子金具変形ガイドを有することを特徴とする入力端子台。
【請求項２】
前記端子受け部は、前記端子金具が圧入される途中で、前記内部リード線の前記芯線部分と前記被覆部分がそれぞれ前記第１の貫通部と前記第２の貫通部に挟持されたことを外部から確認可能な開口部を有することを特徴とする請求項１記載の入力端子台。
【請求項３】
前記端子金具は、その下端部が内側に折れ曲がった圧入誘導ガイドを有し、前記圧入誘導ガイドは、前記端子金具が前記端子受け部に滑らかに圧入されるように誘導することを特徴とする請求項１または請求項２に記載の入力端子台。
【請求項４】
前記端子金具は、前記Ｙ方向に平行な両側面に、他の部分よりも変形強度が小さい細板部を有し、前記細板部は、前記端子受け部に圧入された前記端子金具の変形を促すことを特徴とする請求項１〜請求項３のいずれか一項に記載の入力端子台。
【請求項５】
前記端子受け部は、前記端子金具が圧入される際の位置決め手段として、前記細板部に対応して設けられた細板ガイド部を有することを特徴とする請求項４記載の入力端子台。
【請求項６】
前記第１の貫通部は、その内径寸法が前記内部リード線の前記被覆部分の外径寸法よりも小さい貫通穴であることを特徴とする請求項１〜請求項５のいずれか一項に記載の入力端子台。
【請求項７】
前記端子金具は、前記端子受け部に圧入された前記端子金具が抜けないように前記端子受け部に固定する第１の抜け止め手段を有し、前記端子受け部は、前記第１の抜け止め手段に係合する第２の抜け止め手段を有することを特徴とする請求項１〜請求項６のいずれか一項に記載の入力端子台。
【請求項８】
前記端子受け部は、圧入された前記端子金具が抜けないように固定する第３の抜け止め手段を有することを特徴とする請求項１〜請求項７のいずれか一項に記載の入力端子台。
【請求項９】
前記端子受け部は、前記端子金具の前記第１の貫通部に保持された前記内部リード線の前記芯線部分の先端を上方向に折り曲げ、前記端子金具の側面に密着させる芯線曲げガイドを有することを特徴とする請求項１〜請求項８のいずれか一項に記載の入力端子台。
【請求項１０】
前記端子金具は、前記第１の貫通部と前記第２の貫通部を複数組有することを特徴とする請求項１〜請求項８のいずれか一項に記載の入力端子台。
【請求項１１】
前記複数組の前記第１の貫通部と前記第２の貫通部は、異なる線径の前記内部リード線に対応するように、それぞれ異なる寸法であることを特徴とする請求項１０記載の入力端子台。
【請求項１２】
前記第１の貫通部及び前記第２の貫通部は、前記Ｘ方向の直径が長い略楕円形状であることを特徴とする請求項１〜請求項１１のいずれか一項に記載の入力端子台。
【請求項１３】
前記第２の貫通部は、挟持した前記内部リード線の被覆部分に食い込むように前記Ｘ方向に突出した突起部を有することを特徴とする請求項１〜請求項１２のいずれか一項に記載の入力端子台。
【請求項１４】
前記第１の貫通部は、その前記Ｘ方向に伸縮可能な部分に対向配置された弾性を有する斜め細板部を有し、前記斜め細板部で前記芯線部分を挟持することを特徴とする請求項１〜請求項８のいずれか一項に記載の入力端子台。
【請求項１５】
前記第１の貫通部は、前記端子金具の前記Ｘ方向に平行な側面の一部が内側斜め方向に折り曲げられた対向する２枚の斜め板部を有し、前記２枚の斜め板部で前記芯線部分を挟持することを特徴とする請求項１〜請求項８のいずれか一項に記載の入力端子台。
【請求項１６】
前記第１の貫通部は、前記端子金具の前記Ｘ方向に平行な側面の一部が内側に略直角に折り曲げられた第１の板部と、前記第１の板部と直交する第２の板部を有し、前記第１の板部と前記第２の板部で前記芯線部分を挟持することを特徴とする請求項１〜請求項８のいずれか一項に記載の入力端子台。
【請求項１７】
前記第１の板部と前記第２の板部は、前記芯線部分の先端が折り曲げられた状態で挟持される隙間を有するように設けられることを特徴とする請求項１６記載の入力端子台。
【請求項１８】
前記第１の貫通部及び前記第２の貫通部のいずれか一方または両方は、前記Ｘ方向に非対称に突出した一対の突起部を有し、挟持した前記内部リード線を前記突起部により湾曲させることを特徴とする請求項１〜請求項１２のいずれか一項に記載の入力端子台。
【請求項１９】
前記端子金具は、前記ねじ受け部として、ナットと、これを保持するナット保持手段を有し、前記端子受け部は、前記ナット保持手段が挿入される固定溝と、前記ナットが嵌め込まれるナット受けを有することを特徴とする請求項１〜請求項１８のいずれか一項に記載の入力端子台。
【発明の詳細な説明】
【技術分野】
【０００１】
本発明は、電気機器内の内部リード線と電気的及び機械的に接続される入力端子台に関するものである。
【背景技術】
【０００２】
従来、電気機器内の内部リード線と入力端子台との電気的な接続は、入力端子台と電気導電性のある部位に内部リード線をはんだ付けしていた。または、内部リード線に金具を取り付け、入力端子台と電気導電性のある部位に圧着スリーブ等で圧着固定していた。例えば特許文献１には、端子金具よりも高品位の電気良導体から成る電極棒を端子金具内に埋設し、この電極棒の一端に入力電線を固定つまみで緊締し、他端には圧着スリーブを介して内部リード線を圧着固定することにより、接続系の電気抵抗を低下させた入力端子が提示されている。
【０００３】
一方、特許文献２及び特許文献３には、電気部品のリード線を、はんだ付けなしに容易に接続することができる金属端子が提示されている。特許文献２に示された金属端子は、その先端を湾曲することによって設けられた保持部に、リード線を弾性的に挟んで保持する。この状態で保持部を圧入成形体の凹部に押し込むことにより、保持部は凹部に嵌入され、リード線、金属端子及び圧入成形体が強接触する。
【０００４】
また、特許文献３に示された金属端子は、連続した１枚の弾性金属板をＶ字形状に屈曲させたものであり、Ｖ字形状の内側に扁平な２平面とこれら２平面を連続させる連続部とを有している。この連続部に設けられた切欠き部にリード線を挿入し、リード線を挟持した状態で凹状挟圧体の凹部に圧入することにより、Ｖ字形状の２平面とその角部によりリード線を弾力的に挟圧保持するものである。
【先行技術文献】
【特許文献】
【０００５】
【特許文献１】実開平２−１２６３６７号公報
【特許文献２】特開平８−２３６１６８号公報
【特許文献３】特開平８−２３６１６９号公報
【発明の概要】
【発明が解決しようとする課題】
【０００６】
近年、電気機器の小型化に伴い、電気機器内の配線作業空間が狭くなり、内部リード線を入力端子台と電気導電性のある部位へはんだ付けする作業や、特許文献１に示されたような圧着スリーブにより固定する作業は困難となっている。このため、これらの作業を行わずに、内部リード線と接続することができる入力端子台が求められている。
【０００７】
特許文献２及び特許文献３に提示された金属端子は、リード線をはんだ付けせずに接続することができるが、いずれもリード線の一部分を挟んで保持した金属端子を成形体の凹部に圧入するという簡単な構造であり、リード線と金属端子の電気的及び機械的な接続の信頼性が十分とは言えない。例えば、リード線を挟んだ金属端子が凹部に十分に圧入されていない場合や、リード線が傾いた状態で挿入されそのまま挟持された場合に、それらを確認したり防止したりする構造を有しておらず、リード線が抜けてしまう可能性がある。
【０００８】
本発明は、上記のような課題を解決するためになされたもので、はんだ付け作業や圧着スリーブによる固定作業を行うことなく、内部リード線と電気的及び機械的に確実に接続することが可能な入力端子台を得ることを目的とする。
【課題を解決するための手段】
【０００９】
本発明に係る入力端子台は、内部リード線を保持し内部リード線と電気的に接続される端子金具と、端子金具が圧入される中空構造の絶縁体である端子受け部を備えた入力端子台であって、端子金具が端子受け部に圧入される方向をＺ方向、内部リード線が端子金具に保持される方向でありＺ方向に垂直な方向をＹ方向、Ｙ方向と同一平面内で直交しＺ方向に垂直な方向をＸ方向とするとき、端子金具は、外部リード線が接続される配線ねじを取り付けるねじ受け部と、内部リード線の芯線部分を保持するＸ方向に伸縮可能な第１の貫通部と、内部リード線の被覆部分を保持するＸ方向に伸縮可能な第２の貫通部を有する。端子受け部は、Ｚ方向に細長く設けられ内部リード線が挿入される挿入スリットと、中空構造の内部空間がＺ方向に向かって徐々に狭くなるように設けられ第１の貫通部と第２の貫通部がＸ方向に縮むように端子金具を変形させる端子金具変形ガイドを有するものである。
【発明の効果】
【００１０】
本発明に係る入力端子台によれば、内部リード線の芯線部分が第１の貫通部に挟持されることにより、端子金具と内部リード線が電気的及び機械的に接続されると共に、被覆部分が第２の貫通部に挟持されることにより、端子金具と内部リード線の機械的な接続強度を向上させることができるため、はんだ付け作業や圧着スリーブによる固定作業を行うことなく、内部リード線と電気的及び機械的に確実に接続することが可能である。
【図面の簡単な説明】
【００１１】
【図１】本発明の実施の形態１に係る入力端子台を示す正面斜視図、裏面斜視図、及び正面図である。
【図２】本発明の実施の形態１に係る入力端子台の分解斜視図である。
【図３】本発明の実施の形態１に係る入力端子台の端子金具を示す断面斜視図である。
【図４】本発明の実施の形態１に係る端子金具を圧入開始時の入力端子台を示す正面斜視図である。
【図５】本発明の実施の形態１に係る端子金具を圧入開始時の入力端子台を示す正面断面図及び裏面断面図である。
【図６】本発明の実施の形態１に係る端子金具を圧入途中の入力端子台を示す正面断面図及び裏面断面図である。
【図７】本発明の実施の形態１に係る端子金具を圧入完了後の入力端子台を示す正面断面図及び裏面断面図である。
【図８】本発明の実施の形態２に係る入力端子台の端子金具を示す正面斜視図である。
【図９】本発明の実施の形態２に係る端子金具を圧入完了後の入力端子台を示す正面断面拡大図である。
【図１０】本発明の実施の形態３に係る入力端子台の端子受け部を示す断面斜視図である。
【図１１】本発明の実施の形態３に係る入力端子台を示す断面斜視図である。
【図１２】本発明の実施の形態４に係る入力端子台の端子受け部を示す裏面斜視図である。
【図１３】本発明の実施の形態４に係る入力端子台において内部リード線を保持した端子金具を示す断面斜視図である。
【図１４】本発明の実施の形態５に係る入力端子台の端子金具を示す正面斜視図及び裏面斜視図である。
【図１５】本発明の実施の形態６に係る入力端子台の端子金具を示す正面斜視図及び裏面斜視図である。
【図１６】本発明の実施の形態７に係る入力端子台の端子金具を示す裏面斜視図である。
【図１７】本発明の実施の形態８に係る入力端子台において内部リード線を保持した端子金具を示す正面斜視図及び断面斜視図である。
【図１８】本発明の実施の形態９に係る入力端子台において内部リード線を保持した端子金具を示す正面斜視図及び断面斜視図である。
【図１９】本発明の実施の形態１０に係る入力端子台の端子金具を示す正面斜視図である。
【図２０】本発明の実施の形態１１に係る入力端子台の端子金具を示す正面斜視図及び断面斜視図である。
【図２１】本発明の実施の形態１２に係る入力端子台の端子金具を示す正面図及び側面斜視図である。
【図２２】本発明の実施の形態１２に係る入力端子台の端子受け部を示す正面斜視図である。
【発明を実施するための形態】
【００１２】
実施の形態１．
以下に、本発明の実施の形態１に係る入力端子台について、図面に基づいて説明する。図１は、本実施の形態１に係る入力端子台の外観を示しており、（ａ）は正面斜視図、（ｂ）は裏面斜視図、及び（ｃ）は正面図である。図２は、本実施の形態１に係る入力端子台を示す分解斜視図であり、（ａ）は正面図、（ｂ）は裏面図である。また、図３は、本実施の形態１に係る入力端子台の端子金具を示す断面斜視図、図４は、端子金具を端子受け部に圧入開始時の入力端子台を示す正面斜視図である。なお、図中、同一、相当部分には同一符号を付している。
【００１３】
本実施の形態１に係る入力端子台は、内部リード線３を保持し内部リード線３と電気的に接続される端子金具１と、端子金具１が圧入される中空構造の絶縁体である端子受け部２を備えている。なお、以下の説明では、図２に示すように、端子金具１が端子受け部２に圧入される方向をＺ方向、内部リード線３が端子金具１に保持される方向でありＺ方向に垂直な方向をＹ方向、Ｙ方向と同一平面内で直交しＺ方向に垂直な方向をＸ方向とする。
【００１４】
端子金具１は、例えばりん青銅のような導電性材料からなり、内部リード線３の芯線部分３ａを保持するＸ方向に伸縮可能な第１の貫通部である貫通穴１ａと、内部リード線３の被覆部分３ｂを保持するＸ方向に伸縮可能な第２の貫通部である貫通穴１ｂを有している。端子金具１は、貫通穴１ａで内部リード線３の芯線部分３ａを挟持することにより、内部リード線３と電気的及び機械的に接続される。また、貫通穴１ｂで内部リード線３の被覆部分３ｂを挟持することにより、端子金具１と内部リード線３の機械的接続を補強している。
【００１５】
図３に示すように、貫通穴１ａの内径は、内部リード線３の被覆部分３ｂの外径寸法よりも小さい寸法となっている。これにより、内部リード線３の被覆部分３ｂは貫通穴１ａに通らないため、貫通穴１ａにおける被覆部分３ｂの挟み込みによる電気的な接触不良が発生しない。また、端子金具１へ内部リード線３を挿入する際に、被覆部分３ｂが貫通穴１ａに通らず止まることにより、内部リード線３の位置決めが行える。
【００１６】
また、端子金具１は、配線ねじ４を取り付けるねじ受け部である雌ねじ部１ｃを有している。配線ねじ４には、外部リード線（図示せず）が接続される。また、端子金具１は、Ｙ方向に平行な両側面に、他の部分よりも変形強度が小さい細板部１ｄを有している。この細板部１ｄは、端子受け部２に圧入された端子金具１の変形を促すものである。さらに、端子金具１は、その下端部が内側に折れ曲がった圧入誘導ガイドを有している。なお、圧入誘導ガイドについては後に説明する。
【００１７】
端子金具１が圧入される端子受け部２は、例えば絶縁性樹脂からなり、Ｚ方向に細長く設けられ内部リード線３が挿入される挿入スリット２ａを有している。また、端子受け部２は、図４に示すように、端子金具１が圧入される際の位置決め手段として細板部１ｄに対応して設けられた細板ガイド部２ｂを有している。
【００１８】
また、端子受け部２は、図２に示すように、端子金具１が圧入される途中で、内部リード線３の芯線部分３ａと被覆部分３ｂがそれぞれ貫通穴１ａ、１ｂに挟持されたことを外部から確認可能な開口部２ｉを有している。さらに、端子受け部２には、中空構造の内部空間がＺ方向に向かって徐々に狭くなるように、端子金具変形ガイドが設けられている。なお、端子金具変形ガイドについては後に説明する
【００１９】
次に、端子金具１を端子受け部２へ圧入する際の動作について、図５〜図７を用いて説明する。図５は、端子金具１を端子受け部２に圧入開始時の入力端子台、図６は、端子金具１を端子受け部２に圧入途中の入力端子台、さらに、図７は、端子金具１を端子受け部２に圧入完了後の入力端子台を示している。なお、図５〜図７において、（ａ）は正面断面図、（ｂ）は裏面断面図である。
【００２０】
まず、端子金具１を端子受け部２に圧入する際には、端子受け部２に設けられた細板ガイド部２ｂに、端子金具１の細板部１ｄを通すことにより位置決めを行う（図４参照）。続いて、端子金具１を端子受け部２へ途中まで圧入し、内部リード線３の芯線部３ａを、端子受け部２の挿入スリット２ａ、端子金具１の貫通穴１ｂ、貫通穴１ａの順に挿入する。
【００２１】
端子金具１は、その下端部が内側に折れ曲がった圧入誘導ガイド１ｅにより、端子受け部２に滑らかに圧入されるように誘導される。端子受け部２には、中空構造の内部空間がＺ方向に向かって徐々に狭くなるように、端子金具変形ガイド２ｃが設けられている。なお、圧入開始時は、図５に示すように、貫通穴１ａ、１ｂと内部リード線３との間には隙間がある。すなわち、内部リード線３は端子金具１に軽く保持された状態であり、固定されていない。
【００２２】
続いて、図６に示すように、端子金具１を端子受け部２へさらに圧入すると、端子金具１は、端子金具変形ガイド２ｃにより、貫通穴１ａ、１ｂがＸ方向に縮むように変形され、内部リード線３の芯線部分３ａが貫通穴１ａに、被覆部分３ｂが貫通穴１ｂにそれぞれ挟持される。この圧入途中において、貫通穴１ａ、１ｂと内部リード線３の隙間が閉じ、内部リード線３は端子金具１により強固に保持される。
【００２３】
なお、貫通穴１ａ、１ｂと内部リード線３の隙間は圧入途中で閉じるため、端子金具１を圧入途中の入力端子台の外観から、内部リード線３が端子金具１に確実に保持されたことを目視確認することができる。端子金具１を圧入完了後の入力端子台では、図７に示すように、端子金具１の貫通穴１ａ、１ｂは外部からは見えなくなる。
【００２４】
圧入完了後は、端子金具１の雌ねじ部１ｃに配線ねじ４が締結される。この配線ねじ４に配線された外部リード線（図示せず）は、配線ねじ４と端子金具１を介して内部リード線３と電気的に接続される。
【００２５】
以上のように、本実施の形態１に係る入力端子台によれば、内部リード線３の芯線部分３ａが貫通穴１ａに挟持されることにより、端子金具１と内部リード線３が電気的及び機械的に接続されると共に、被覆部分３ｂが貫通穴１ｂに挟持されることにより、端子金具１と内部リード線３の機械的な接続強度を向上させることができる。
【００２６】
従って、はんだ付け作業や圧着スリーブによる固定作業を行うことなく、内部リード線３と電気的及び機械的に確実に接続することが可能である。また、端子金具１を圧入途中の入力端子台の外観から、内部リード線３が端子金具１に保持されていることを目視確認することができるため、内部リード線３の接続不良や抜けが発生し難い信頼性の高い接続が容易に行える。
【００２７】
実施の形態２．
本発明の実施の形態２に係る入力端子台について、図８及び図９を用いて説明する。図８は、本実施の形態２に係る入力端子台の端子金具を示す正面斜視図、図９は、端子金具１を端子受け部２に圧入完了後の入力端子台を示す部分断面拡大図である。
【００２８】
本実施の形態２に係る入力端子台の端子金具１は、その両側面の細板部に、端子受け部２に圧入された端子金具１が抜けないように固定する第１の抜け止め手段である抜け止め１ｆを有している。また、端子受け部２は、図９に示すように、端子金具１の抜け止め１ｆに係合する第２の抜け止め手段である抜け止め突起２ｄを有している。その他の構成については、上記実施の形態１と同様であるので説明を省略する。
【００２９】
端子金具１の抜け止め１ｆは、弾性を有する板からなり、端子受け部２に圧入完了後、端子受け部２の抜け止め突起２ｄに係合し端子金具１を端子受け部２に固定する。なお、第１の抜け止め手段と第２の抜け止め手段の形状は、図９に限定されるものではない。
【００３０】
本実施の形態２によれば、上記実施の形態１と同様の効果に加え、端子金具１に設けられた抜け止め１ｆと、これに係合する端子受け部２の抜け止め突起２ｄにより、端子金具１に上方向に引き抜く力が加わった際の端子金具１の抜けを防止することができる。
【００３１】
実施の形態３．
本発明の実施の形態３に係る入力端子台について、図１０及び図１１を用いて説明する。図１０は、本実施の形態３に係る入力端子台の端子受け部を示す断面斜視図、図１１は、端子受け部に端子金具を圧入完了後の入力端子台を示す断面斜視図である。本実施の形態３に係る入力端子台の端子受け部２は、圧入された端子金具１が抜けないように固定する第３の抜け止め手段である抜け止め２ｅを有している。その他の構成については、上記実施の形態１と同様であるので説明を省略する。
【００３２】
図１１に示すように、圧入完了後の端子金具１の上板部は、端子受け部２に設けられた抜け止め２ｅにより固定されている。これにより、端子金具１に上方向に引き抜く力が加わった際の端子金具１の抜けを防止することができ、上記実施の形態１及び実施の形態２と同様の効果が得られる。
【００３３】
実施の形態４．
本発明の実施の形態４に係る入力端子台について、図１２及び図１３を用いて説明する。図１２は、本実施の形態４に係る入力端子台の端子受け部を示す裏面斜視図、図１３は、本実施の形態４に係る入力端子台において、内部リード線を保持した端子金具を示す断面斜視図である。
【００３４】
本実施の形態４に係る入力端子台の端子受け部２は、端子金具１の貫通穴１ａに保持された内部リード線３の芯線部分３ａを上方向に折り曲げ、端子金具１の側面に密着させる芯線曲げガイド２ｆを有している。その他の構成については、上記実施の形態１と同様であるので説明を省略する。
【００３５】
芯線曲げガイド２ｆは、図１２に示すように、端子受け部２の正面側の内壁部に設けられた溝であり、その先端部は細くなっている。端子金具１を端子受け部２に圧入すると、貫通穴１ａから出ている芯線部分３ａの先端は、芯線曲げガイド２ｆを通っていく。圧入完了後には、図１３に示すように、内部リード線３の芯線部分３ａは芯線曲げガイド２ｆにより上方向に折り曲げられ、端子金具１の側面に密着する。これにより、芯線曲げガイド２ｆがない場合に比べ、芯線部分３ａが端子金具１に接触する面積が増える。
【００３６】
本実施の形態４によれば、上記実施の形態１と同様の効果に加え、端子受け部２に設けられた芯線曲げガイド２ｆにより、端子金具１と内部リード線３の芯線部分３ａの接触面積が増えるため、端子金具１と内部リード線３の接続インピーダンスを下げることができる。
【００３７】
実施の形態５．
本発明の実施の形態５に係る入力端子台について、図１４を用いて説明する。図１４は、本実施の形態５に係る入力端子台の端子金具を示し、（ａ）は正面斜視図、（ｂ）は裏面斜視図である。本実施の形態５に係る入力端子台の端子金具１は、内部リード線３の芯線部分３ａを保持する貫通穴１ａと、内部リード線３の被覆部分３ｂを保持する貫通穴１ｂを、複数組（図１４では３組）有するものである。その他の構成については、上記実施の形態１と同様であるので説明を省略する。
【００３８】
なお、図１４では、複数組の貫通穴１ａ、１ｂは同じ寸法に設けられているが、複数組の貫通穴１ａ、１ｂは、異なる線径の内部リード線３に対応するように、それぞれ異なる寸法であってもよい。
【００３９】
本実施の形態５によれば、上記実施の形態１と同様の効果に加え、端子金具１に内部リード線を保持する貫通穴１ａ、１ｂをそれぞれ複数組設けることにより、複数の内部リード線３の渡り配線が可能となる。また、互いに寸法の異なる複数組の貫通穴１ａ、１ｂを設けることにより、１つの端子金具１に異なる線径の内部リード線３を接続することができ、汎用性が向上する。
【００４０】
実施の形態６．
本発明の実施の形態６に係る入力端子台について、図１５を用いて説明する。図１５は、本実施の形態６に係る入力端子台の端子金具を示し、（ａ）は正面斜視図、（ｂ）は裏面斜視図である。本実施の形態６に係る入力端子台の端子金具１は、内部リード線３の芯線部分３ａを保持する貫通穴１ａと、被覆部分３ｂを保持する貫通穴１ｂを、Ｘ方向の直径が長い略楕円形状としたものである。その他の構成については、上記実施の形態１と同様であるので説明を省略する。
【００４１】
なお、貫通穴１ａ、１ｂの形状は、上記実施の形態１のような略円形、本実施の形態６のような略楕円形状に限定されるものではないが、内部リード線３を挿入し易く、確実に挟持することができ、さらには内部リード線３が抜けにくい形状であることが望ましい。
【００４２】
本実施の形態６によれば、上記実施の形態１と同様の効果に加え、端子金具１に設けられた内部リード線を保持する貫通穴１ａ、１ｂを略楕円形状とすることにより、内部リード線の挿入が容易となり作業効率が向上する。
【００４３】
実施の形態７．
本発明の実施の形態７に係る入力端子台について、図１６を用いて説明する。図１６は、本実施の形態７に係る入力端子台の端子金具を示す裏面斜視図である。本実施の形態７に係る入力端子台の端子金具１の貫通穴１ｂは、挟持した内部リード線３の被覆部分３ｂに食い込むようにＸ方向に突出した突起部１ｇを有している。その他の構成については、上記実施の形態１と同様であるので説明を省略する。
【００４４】
本実施の形態７によれば、上記実施の形態１と同様の効果に加え、端子金具１の貫通穴１ｂの内側に突出した突起１ｇが内部リード線３の被覆部分３ｂに食い込むため、端子金具１による内部リード線３の保持力が向上する。
【００４５】
実施の形態８．
上記実施の形態１〜実施の形態７では、内部リード線３の芯線部分３ａを保持するＸ方向に伸縮可能な第１の貫通部として、略円形または略楕円形の貫通穴１ａを用いたが、第１の貫通部の形態はこれに限定されるものではない。以下の実施の形態８〜実施の形態１０では、第１の貫通部の他の形態について例を挙げて説明する。
【００４６】
本発明の実施の形態８に係る入力端子台について、図１７を用いて説明する。図１７は、本実施の形態８に係る入力端子台において内部リード線を保持した端子金具を示しており、（ａ）は正面斜視図、（ｂ）は断面斜視図である。
【００４７】
本実施の形態８に係る入力端子台の端子金具１は、第１の貫通部として、Ｘ方向に伸縮可能な部分に対向配置された弾性を有する斜め細板部１ｈを有し、この斜め細板部１ｈで芯線部分３ａを挟持するものである。その他の構成については、上記実施の形態１と同様であるので説明を省略する。
【００４８】
本実施の形態８によれば、上記実施の形態１と同様の効果に加え、内部リード線３の芯線部分３ａを斜め細板部１ｈで保持するようにしたので、芯線部分３ａの線径がばらついている場合でも、斜め細板部１ｈの弾性により芯線部分３ａを傷つけることなく保持することができる。
【００４９】
実施の形態９．
本発明の実施の形態９に係る入力端子台について、図１８を用いて説明する。図１８は、本実施の形態９に係る入力端子台において内部リード線を保持した端子金具を示しており、（ａ）は正面斜視図、（ｂ）は断面斜視図である。
【００５０】
本実施の形態９に係る入力端子台の端子金具１は、第１の貫通部として、端子金具１のＸ方向に平行な側面の一部が内側斜め方向に折り曲げられた対向する２枚の斜め板部１ｉを有し、この２枚の斜め板部１ｉで芯線部分３ａを挟持するものである。斜め板部１ｉは、図１８に示すように、芯線部分３ａを保持する部分が曲線に加工されており、芯線部分３ａをＸ方向の両側から挟持する形状となっている。その他の構成については、上記実施の形態１と同様であるので説明を省略する。
【００５１】
本実施の形態９によれば、上記実施の形態１と同様の効果に加え、内部リード線３の芯線部分３ａを斜め板部１ｉで保持するようにしたので、端子金具１と芯線部分３ａの接触面積が増え、端子金具１と内部リード線３の接続インピーダンスを下げることができる。
【００５２】
実施の形態１０．
本発明の実施の形態１０に係る入力端子台について、図１９を用いて説明する。図１９は、本実施の形態１０に係る入力端子台の端子金具を示し、（ａ）は正面斜視図、（ｂ）は内部リード線を保持時の正面斜視図である。
【００５３】
本実施の形態１０に係る入力端子台の端子金具１は、第１の貫通部として、端子金具１のＸ方向に平行な側面の一部が内側に略直角に折り曲げられた第１の板部１ｋと、第１の板部１ｋと直交する第２の板部１ｊを有し、第１の板部１ｋと第２の板部１ｊで芯線部分３ａを挟持するものである。
【００５４】
図１９（ｂ）に示すように、端子金具１の側面の一部が内側に略直角に折り曲げられた第１の板部１ｋには、芯線部分３ａが載置される。この第１の板部１ｋと直交する第２の板部１ｊには、芯線部分３ａを保持する部分が曲線に加工されており、芯線部分３ａをＸ方向の片側から挟持する形状となっている。また、第１の板部１ｋと第２の板部１ｊは、芯線部分３ａの先端が折り曲げられた状態で挟持される隙間１ｍを有するように設けられている。その他の構成については、上記実施の形態１と同様であるので説明を省略する。
【００５５】
本実施の形態１０によれば、上記実施の形態１と同様の効果に加え、内部リード線３の芯線部分３ａを直交する第１の板部１ｋと第２の板部１ｊで保持し、さらに芯線部分３ａの先端を折り曲げた状態で挟持可能な隙間１ｍを設けたので、端子金具１と芯線部分３ａの接触面積が増え、端子金具１と内部リード線３の接続インピーダンスを下げることができる。
【００５６】
実施の形態１１．
本発明の実施の形態１１に係る入力端子台について、図２０を用いて説明する。図２０は、本実施の形態１１に係る入力端子台の端子金具を示し、（ａ）は正面斜視図、（ｂ）は断面斜視図、（ｃ）は内部リード線を保持時の断面斜視図である。
【００５７】
本実施の形態１１に係る入力端子台の端子金具１は、その貫通穴１ａ、１ｂに、Ｘ方向に非対称に突出した１対の突起部１ｎをそれぞれ有している。なお、上記実施の形態７（図１６）では、端子金具１の貫通穴１ｂに、挟持した内部リード線３の被覆部分３ｂに食い込む突起部１ｇを設けたが、本実施の形態１０では、一対の突起部１ｎをＸ方向の両側から非対称に突出させ、挟持した内部リード線３を湾曲させるようにしたものである。
【００５８】
なお、図２０では、一対の非対称の突起部１ｎを貫通穴１ａ、１ｂの両方に設けているが、貫通穴１ａ、１ｂのいずれか一方に設けてもよい。その他の構成については、上記実施の形態１と同様であるので説明を省略する。
【００５９】
本実施の形態１１によれば、上記実施の形態１と同様の効果に加え、貫通穴１ａ、１ｂで挟持した内部リード線３を突起部１ｎで湾曲させるようにしたので、内部リード線３の引き抜き強度がさらに向上し、内部リード線３の抜けを防止することができる。
【００６０】
実施の形態１２．
本発明の実施の形態１２に係る入力端子台について、図２１を用いて説明する。図２１は、本実施の形態１２に係る入力端子台の端子金具を示し、（ａ）は正面図、（ｂ）は側面斜視図である。また、図２２は、本実施の形態１２に係る端子受け部を示す正面斜視図である。
【００６１】
本実施の形態１２に係る入力端子台の端子金具１は、配線ねじ４のねじ受け部として、雌ねじ部１ｃ（図２）の代わりに、ナット５と、ナット保持手段であるナット当て板部１ｐを有している。また、図２２に示すように、端子受け部２には、ナット当て板部１ｐが挿入される固定溝２ｇと、ナット５が嵌め込まれ位置決めされるナット受け２ｈを設け、配線ねじ４の取り付け時にナット５が動かないようにしている。その他の構成については、上記実施の形態１と同様であるので説明を省略する。
【００６２】
本実施の形態１２によれば、上記実施の形態１と同様の効果に加え、端子金具１の板厚が薄く、配線ねじ４の雌ねじ部１ｃのねじ山の数が必要数取れない場合に、ナット５を使用して配線ねじ４を取り付けすることが可能である。
【００６３】
なお、本発明は、その発明の範囲内において、各実施の形態を自由に組み合わせたり、各実施の形態を適宜、変形、省略したりすることが可能である。
【産業上の利用可能性】
【００６４】
本発明は、電気機器内の内部リード線と外部リード線を接続する入力端子台として利用することができる。
【符号の説明】
【００６５】
１  端子金具、１ａ、１ｂ  貫通穴、１ｃ  雌ねじ部、１ｄ  細板部、
１ｅ  圧入誘導ガイド、１ｆ  抜け止め、１ｇ  突起部、１ｈ  斜め細板部、
１ｉ  斜め板部、１ｊ  第２の板部、１ｋ  第１の板部、１ｍ  隙間、
１ｎ  突起部、１ｐ  ナット当て板部、２  端子受け部、２ａ  挿入スリット、
２ｂ  細板ガイド部、２ｃ  端子金具変形ガイド、２ｄ  抜け止め突起、
２ｅ  抜け止め、２ｆ  芯線曲げガイド、２ｇ  固定溝、２ｈ  ナット受け、
２ｉ  開口部、３  内部リード線、３ａ  芯線部分、３ｂ  被覆部分、
４  配線ねじ、５  ナット。
【図１】
0005836827.tif 000002
【図２】
0005836827.tif 000003
【図３】
0005836827.tif 000004
【図４】
0005836827.tif 000005
【図５】
0005836827.tif 000006
【図６】
0005836827.tif 000007
【図７】
0005836827.tif 000008
【図８】
0005836827.tif 000009
【図９】
0005836827.tif 000010
【図１０】
0005836827.tif 000011
【図１１】
0005836827.tif 000012
【図１２】
0005836827.tif 000013
【図１３】
0005836827.tif 000014
【図１４】
0005836827.tif 000015
【図１５】
0005836827.tif 000016
【図１６】
0005836827.tif 000017
【図１７】
0005836827.tif 000018
【図１８】
0005836827.tif 000019
【図１９】
0005836827.tif 000020
【図２０】
0005836827.tif 000021
【図２１】
0005836827.tif 000022
【図２２】
0005836827.tif 000023